(57)【要約】【課題】  フィラメント端子間の短絡を防ぐ。【解決手段】フィラメント１、カソード２、グリッド３、アノード４を備え、フィラメント１から発生された電子の衝撃に基づいてカソード２から発生した熱電子をグリッド３の電子通過孔３Ｈを介してアノード４方向に加速する様に成し、フィラメント端子部を碍子８０で支持する様に成し、碍子のアノード側表面に、フィラメント端子部を取り囲む円筒状の壁１１を形成し、筒状壁内の空間部Ｓを、壁内の碍子表面とで挟む有底円筒状のカバー１２を壁１１に取り付け、カバー１２の底部にフィラメント端子部が通る孔Ｈ１，Ｈ２を穿つと共に、空間部Ｓにガスを導入する管１３を碍子８０に設けた。【選択図】  図３
2011210401.tif 000002
【特許請求の範囲】
【請求項１】
フィラメント、カソード、アノードを備え、前記フィラメントから発生された電子の衝撃に基づいて前記カソードから発生した電子を前記アノード方向に加速する様に成した電子銃であって、前記フィラメント端子部を絶縁体で支持する様に成した電子銃において、前記絶縁体のアノード側表面に、前記フィラメント端子部を取り囲む筒状の壁を形成し、該筒状壁内の空間部を、該壁内の絶縁体表面とで挟む有底筒状のカバーを前記壁に取り付け、該カバーの底部に前記フィラメント端子部が通る孔を穿つと共に、前記空間部にガスが導入出来る様に成した電子銃。
【請求項２】
フィラメント、カソード、グリッド、アノードを備え、前記フィラメントから発生された電子の衝撃に基づいて前記カソードから発生した電子を前記グリッドの電子通過孔を介して前記アノード方向に加速する様に成した電子銃であって、前記フィラメント端子部を絶縁体で支持する様に成した電子銃において、前記絶縁体のアノード側表面に、前記フィラメント端子部を取り囲む筒状の壁を形成し、該筒状壁内の空間部を、該壁内の絶縁体表面とで挟む有底筒状のカバーを前記壁に取り付け、該カバーの底部に前記フィラメント端子部が通る孔を穿つと共に、前記空間部にガスが導入出来る様に成した電子銃。
【請求項３】
前記壁は円筒状である請求項１若しくは２に記載の電子銃。
【請求項４】
前記絶縁体は碍子である請求項１若しくは２記載の電子銃。
【請求項５】
前記カバーは有底円筒状である請求項１若しくは２に記載の電子銃。
【発明の詳細な説明】
【技術分野】
【０００１】
本発明は傍熱型の電子銃に関する。
【背景技術】
【０００２】
図１は傍熱型電子銃の一概略例を示したものである。
【０００３】
図中１はフィラメント、２はカソード、３はグリッド、４はアノード、５はフィラメント加熱電源、６はボンバード電源、７は加速電源である。尚、８は前記フィラメント１を支持している碍子である。
【０００４】
この様な構成の電子銃において、前記フィラメント加熱電源５からの電流供給により前記フィラメント１が加熱されて高温になると、該フィラメントの先端部（熱電子放出部）から熱電子が発生する。
【０００５】
この時、前記カソード２と該フィラメントの間には前記ボンバード電源６から正のボンバード電圧が印加されているので、該フイラメントからの熱電子は前記カソード２を衝撃する。
【０００６】
この衝撃により、該カソードが高温になると、該カソードから熱電子が発生する。
【０００７】
この時、前記アノード４と該カソードの間には前記加速電源７から正の加速電圧が印加されているので、該カソードからの熱電子は前記グリッド３の電子通過孔３Ｈを通って前記アノード４方向に向かう。
【先行技術文献】
【特許文献】
【０００８】
【特許文献１】特開２００１−００６５２０号公報
【発明の概要】
【発明が解決しようとする課題】
【０００９】
さて、前記フィラメント１からの熱電子による衝撃により前記カソード２が高温になると、熱電子を発生すると共に、該カソード表面が蒸発し始める。そして、この様な熱電子による衝撃が持続されると、前記カソード２の近傍に存在する前記グリッド３も高温になり、該グリッド表面からも蒸発が発生する。
【００１０】
すると、図２に示す様に、前記カソード２とグリッド３からの蒸発物９が前記碍子８の表面に堆積する。図２において、１０は該碍子表面上の堆積物を示す。
【００１１】
しかし、この様な堆積が進んで、該堆積物が前記フィラメント１の端子の周囲を覆うまでになると、該フィラメントの端子間が短絡してしまい、前記フィラメント加熱電源５からの電流が前記フィラメント１の先端部（熱電子放出部Ｅ）に充分行かなくなってしまう。
【００１２】
本発明は、このような問題を解決するためになされたもので、新規な電子銃を提供することを目的とする。
【課題を解決するための手段】
【００１３】
本発明の電子銃は、フィラメント、カソード、アノードを備え、前記フィラメントから発生された電子の衝撃に基づいて前記カソードから発生した電子を前記アノード方向に加速する様に成した電子銃であって、前記フィラメント端子部を絶縁体で支持する様に成した電子銃において、前記絶縁体のアノード側表面に、前記フィラメント端子部を取り囲む筒状の壁を形成し、該筒状壁内の空間部を、該壁内の絶縁体表面とで挟む有底筒状のカバーを前記壁に取り付け、該カバーの底部に前記フィラメント端子部が通る孔を穿つと共に、前記空間部にガスが導入出来る様に成したことを特徴とする。
【００１４】
本発明の電子銃は、フィラメント、カソード、グリッド、アノードを備え、前記フィラメントから発生された電子の衝撃に基づいて前記カソードから発生した電子を前記グリッドの電子通過孔を介して前記アノード方向に加速する様に成した電子銃であって、前記フィラメント端子部を絶縁体で支持する様に成した電子銃において、前記絶縁体のアノード側表面に、前記フィラメント端子部を取り囲む筒状の壁を形成し、該筒状壁内の空間部を、該壁内の絶縁体表面とで挟む有底筒状のカバーを前記壁に取り付け、該カバーの底部に前記フィラメント端子部が通る孔を穿つと共に、前記空間部にガスが導入出来る様に成したことを特徴とする。
【発明の効果】
【００１５】
本発明によれば、フィラメントの端子間の短絡が防止される。
【図面の簡単な説明】
【００１６】
【図１】従来の電子銃の一概略例を示したものである。
【図２】図１に示す電子銃の問題点を説明するために用いたものである。
【図３】本発明の電子銃の一概略例を示したものである。
【図４】図３に示す電子銃の動作を説明するために用いたものである。
【発明を実施するための最良の形態】
【００１７】
以下、図面を使用して本発明の実施の形態を詳細に説明する。
【００１８】
図３は、本発明の電子銃の一概略例を示したものである。図中、図１で使用した記号と同一記号を付したものは同一の構成要素を示す。
【００１９】
図３で示す電子銃の構成が、図１で示す電子銃の構成と異なる点を以下に説明する。
【００２０】
フィラメント１を支持する碍子８０のアノード４側表面に、該フィラメント端子部を取り囲む円筒状の壁１１を形成し、該円筒状壁内の空間部Ｓを、該壁内の碍子表面とで包む有底円筒状のカバー１２を前記壁１１に取り付ける。
【００２１】
そして、該カバーの底部には前記フィラメント１の端子が通る孔Ｈ１，Ｈ２を穿つと共に、前記空間部Ｓを形成している碍子８０の部分にはガス導入管１３を通す孔Ｈ３が開けられる。
【００２２】
この様な構成の電子銃において、前記フィラメント加熱電源５からの電流供給により前記フィラメント１が加熱されて高温になると、該フィラメントの先端部（熱電子放出部Ｅ）から熱電子が発生する。
【００２３】
該熱電子は、前記カソード２と該フィラメントの間に印加されている前記ボンバード電源６からの正のボンバード電圧により、前記カソード２を衝撃する。
【００２４】
この衝撃により、該カソードが高温になると、該カソードから熱電子が発生する。
【００２５】
該熱電子は、前記アノード４と該カソードの間に印加されている前記加速電源７からの正の加速電圧により、前記グリッド３の電子通過孔３Ｈを通って前記アノード４方向に向かう。
【００２６】
さて、前記フィラメント１からの熱電子による衝撃により前記カソード２が高温になると、熱電子を発生すると共に、該カソード表面が蒸発し始める。そして、この様な熱電子による衝撃が持続されると、前記カソード２の近傍に存在する前記グリッド３も高温になり、該グリッド表面からも蒸発が発生する。すると、図４に示す様に、前記カソード２とグリッド３からの蒸発物９が前記カバー１２の表面に堆積する。図４において、１００は該碍子表面上の堆積物を示す。
【００２７】
しかし、この時、前記ガス導入管１３から前記空間部Ｓ内に、ガス（例えば、窒素ガス或いはアルゴンガスの如き不活性ガス）が導入されており、前記空間部Ｓの圧力は、前記カバー１２とカソード３の間の空間部の圧力より高くなっているので、前記蒸発物の、前記フィラメント１の端子を通しているカバー１２の孔Ｈ１，Ｈ２から前記空間部Ｓへの侵入が防止される。
【００２８】
従って、この様な堆積が進んでも、該堆積物が前記フィラメント１の端子の周囲を覆うことがなく、該フィラメントの端子間の短絡が避けられる。
【００２９】
尚、前記ガス導入管１３から空間部Ｓへのガス導入量は、該空間部Ｓ内の圧力が、前記カバー１２とカソード３の間の空間部の圧力より僅かでも高くなる程度で良く、前者の空間部及び／若しくは後者の空間部で放電が発生しない程度に調整される。
【符号の説明】
【００３０】
１・・・フィラメント、  ２・・・カソード、  ３・・・グリッド、  ４・・・アノード、  ５・・・フィラメント加熱電源、  ６・・・ボンバード電源、  ７・・・加速電源、  ８，８０・・・碍子、  ９，９０・・・蒸発物、１０，１００・・・堆積物、１１・・・壁、１２・・・カバー、１３・・・ガス導入管、  Ｓ・・・空間部、Ｈ１，Ｈ２，Ｈ３・・・孔
【図１】
2011210401.tif 000003
【図２】
2011210401.tif 000004
【図３】
2011210401.tif 000005
【図４】
2011210401.tif 000006